(57)【要約】【課題】  植物屋根の建物において、植物屋根に設置する際の施工が容易でコストがかからず、無駄水を軽減できると共に延焼防止効果が高い防災用散水具と防災装置を提供する。【解決手段】  スプリンクラーヘッド２と挿入部である挿入杆５を備えた防災用散水具１を茅葺き屋根１１等の屋根葺き材の間に沿って挿入して適数配置し、樹脂チューブ８から供給された消火剤をスプリンクラーヘッド２から茅葺き屋根１１に散布する。また、消火剤として高粘度性液体を用いる。【選択図】図３
2018015247.tif 000002
【特許請求の範囲】
【請求項１】
スプリンクラーヘッドと、屋根葺き材間に挿入する挿入部を備えたことを特徴とする防災用散水具。
【請求項２】
前記挿入部に脱落防止手段を備えたことを特徴とする請求項１記載の防災用散水具。
【請求項３】
植物屋根を有した建物において、前記植物屋根に、請求項１または２に記載の前記防災用散水具を一又は複数備えたことを特徴とする植物屋根の防災装置。
【請求項４】
前記防災用散水具から高粘度性液体が散布されることを特徴とする請求項３記載の植物屋根の防災装置。
【発明の詳細な説明】
【技術分野】
【０００１】
本発明は、防災用散水具と植物屋根の防災装置に関するものである。
【背景技術】
【０００２】
神社仏閣や文化財に指定されている古民家等に使用されている茅葺き、柿葺き、檜皮葺等の屋根茅材を用いた植物屋根の延焼防止設備として、一般的には放水銃やドレンチャー設備が用いられている（特許文献１）。建物自体にドレンチャー設備を設ける場合は、植物屋根に放水用のドレンチャーヘッドを設けるため、建物の外部と内部に配管が必要となり、その支持、貫通が必要になる。
【先行技術文献】
【特許文献】
【０００３】
【特許文献１】特開平９−１５４９６９号公報
【発明の概要】
【発明が解決しようとする課題】
【０００４】
しかし、ドレンチャーヘッドは金属製や樹脂製の配管に直接取付けられるため、植物屋根にドレンチャーヘッドを設置する場合は、先端にドレンチャーヘッドを取付けた配管を植物屋根の基礎から表面まで延ばさなければならない。そして、配管を植物屋根の基礎の一端で支持することから、配管の長さにより支持部分にかかる加重が大きくなる。細長い茅を集めた茅束から構成されている茅葺き屋根の場合は、下支えが弱く、配管の先端に取付けたドレンチャーヘッドの荷重も加わって、配管の支持部に応力が加わり配管の破損の原因となる。そのため、支持部の応力を軽減するため支持材等で配管を支える必要があり、配管を支持するために施工の手間とコストがかかっていた。さらに前述のように配管を設置しているため、施工後にドレンチャーヘッドの配置を変更する場合に、容易に配置変更をすることができなかった。
【０００５】
また、ドレンチャー設備は、消火剤を上方に放水して上から落ちてくる消火剤により植物屋根の表面を濡らして延焼防止を図っている。しかし、通常の消火剤の場合は殆どが流れ落ちてしまうので、放水過程や散布後の流下により生じる無駄水が多くなる。また、放水銃によりその放水方向を屋根葺き材の軸方向となるように放出して植物屋根の深部まで消火剤を浸透させる場合においても、放水開始時には消火剤が植物屋根に到達せず、無駄水となる。そのため、設備を設計する上で巨大な貯水槽を設ける必要があり、土地が狭い場所、山間部や水が確保しにくい場所にある建物では設備の設置自体が難しいという問題があった。
【０００６】
そこで、本発明は、植物屋根に設置する際に施工が容易でコストがかからず、無駄水を軽減できると共に延焼防止効果が高い防災用散水具と防災装置を提供することを課題とするものである。
【課題を解決するための手段】
【０００７】
本発明は、上述した課題を解決するためのものであり、以下の構成を有する。
【０００８】
（１）本発明はスプリンクラーヘッドと、屋根葺き材間に挿入する挿入部を備えたことを特徴とする防災用散水具である。
【０００９】
本発明によって、植物屋根を有した建物においては、防災用散水具の固定は挿入部を屋根葺き材間に、例えば茅葺き屋根の場合は茅束に沿って差し込めば固定されるので施工が容易であり、ドレンチャー設備と比べて施工コストがかからない。さらに、取り外しも容易であるため、防災用散水具の配置替えを容易に行うことができる。また当該防災用散水具は挿入部や接続される配管等のスプリンクラーヘッド以外の部分が屋根葺き材内に隠れるので景観が損なわれにくい。
【００１０】
（２）また、本発明は前記挿入部に脱落防止手段を備えたことを特徴とする（１）に記載の防災用散水具である。
【００１１】
本発明によれば、脱落防止手段を前記防災用散水具に設けることにより、植物屋根から防止用散水具が容易に抜けなくなるため、脱落を防止することができる。
【００１２】
（３）また、本発明は植物屋根を有した建物において、前記植物屋根に、（１）または（２）に記載の前記防災用散水具を一又は複数備えたことを特徴とする植物屋根の防災装置である。
【００１３】
本発明によれば、（１）または（２）の防災用散水具を植物屋根に適数備えた防災装置を植物屋根の建物に設置することにより、前記（１）の効果に加えて、屋根の傾斜に沿って斜め上方及び下方にスプリンクラーヘッドから消火剤を散布することで、斜め上方に散布した消火剤は茅束等の屋根葺き材の間に沿って屋根内部に浸透するので延焼防止効果が高く、ドレンチャー設備や放水銃を用いた設備に比べて無駄水も軽減される。従って大きな貯水槽を必要としないため、土地が狭い場所、山間部や水が確保しにくい場所にある建物等に防災設備を設置することができる。
【００１４】
（４）また、本発明は、前記防災用散水具から高粘度性液体が散布されることを特徴とする（３）に記載の植物屋根の防災装置である。
【００１５】
本発明によって、高粘度性液体を用いることにより、前記（３）の効果に加えて、斜め下方に散布されたものは屋根表面を垂れるように散布されるため、屋根表面の塗りムラが出にくくなり、屋根表面及び内部に高粘度性液体が保持されることで高い延焼防止効果を得ることができる。
【００１６】
なお、本願において、「消火剤」は水、水に浸透剤等を混合した消火剤、後述の高粘度性液体等のように、散布することにより消火、延焼防止の効果を奏するものを含む。また、「防災用散水具」も水に限らず、このような消火剤を散布するものである。
【発明の効果】
【００１７】
本発明によれば、植物屋根の建物において、防災装置の設置ための施工が容易に行うことができるだけでなく、無駄水を軽減できると共に延焼防止効果を高くすることができる。
【図面の簡単な説明】
【００１８】
【図１】本発明の実施形態における防災用散水具を示す平面図。
【図２】防災用散水具１を茅葺き屋根に設置した状況を説明する概略図。
【図３】本発明の実施形態における防災装置の設置状況を説明する概略図。
【発明を実施するための形態】
【００１９】
本発明は植物屋根の建物における延焼防止を目的とする防災用散水具及び防災装置である。以下、本発明を実施するための形態について説明する。
【００２０】
図１は本発明の実施形態における防災用散水具１を示す平面図であり、図２は、防災用散水具１を茅葺き屋根に設置した状況を説明する概略図である。２はスプリンクラーヘッド、３は屈曲管、４はＴ字状継手、５は茅葺屋根の茅葺き材間に挿入するための挿入杆、６は係止用突起、７は係止用板、８は樹脂チューブ、９はワンタッチ継手である。
【００２１】
Ｔ字状継手４は屈曲管３と挿入杆５の間に設けられる。挿入杆５は管により形成され、係止用突起６の取付部で封止している。樹脂チューブ８は、ワンタッチ継手９によりＴ字状継手４に接続され、Ｔ字状継手４と屈曲管３を介してスプリンクラーヘッド２に消火剤を供給する。茅葺き屋根１１は、一般的な茅葺き屋根と同様に屋根の傾斜が４５°で、茅束は図２に実線の矢印で示すように、茅葺き屋根１１の上面傾斜に対して３０°の角度で積まれている。
【００２２】
茅束は、４５°−３０°＝１５°の角度で屋外側が下がっているため、図２に示すように、防災用散水具１も屋根表面の側であるスプリンクラーヘッド２の側が下がるように設置されている。しかし、茅葺き材との摩擦等により、防災用散水具１は抜け落ちずに設置される。本実施形態においては、挿入杆５は、係止用突起６，６と係止用板７，７を有しており、脱落防止を確実にしている。
【００２３】
図２に示すように防災用散水具１は、実線の矢印で示す茅束の方向に沿って挿入されている。屈曲管３の角度は、防災用散水具１が茅葺き屋根１１に挿入された際にスプリンクラーヘッド２が茅葺き屋根１１の上面傾斜に対して垂直方向に突出するように構成されている。消火剤を放出する際には、茅束内に埋め込まれた樹脂チューブ８から供給された消火剤が屈曲管３を通り、スプリンクラーヘッド２から図２の点線の矢印に示すように茅葺き屋根１１の上面に散布される。
【００２４】
係止用突起６，６は、挿入杆５の一端に設けられた脱落防止手段であり、「返し」の形状により茅葺き材や茅葺き材の結束材に係止されるが、防災用散水具１がその長軸方向の周りで回転することを防止する機能も有する。また、係止用板７，７は、挿入杆５の側部に設けられた脱落防止手段であり、茅葺き材との間の摩擦を大きくしているが、同様に防災用散水具１がその長軸方向の周りで回転することを防止する機能も有する。
【００２５】
スプリンクラーヘッド２から上方に散布された消火剤は茅束の軸方向に散布されることで、茅束に沿って浸透し、茅葺き屋根の深部まで達するため、より高い延焼防止効果を得ることができる。
防災用散水具１からは水等の粘性が低い消火剤を散布しても良いが、本実施形態では、高粘度性液体を防災用散水具１から散布する。高粘度性液体としては、例えば、チキソトロピー性を有する消火剤が用いられる。このような消火剤としては、コロイド性含水ケイ酸塩を含む鉱物（スメクタイト、ベントナイト及びモンモリロナイト等）やケイ酸塩からなる合成無機高分子化合物等と、水との混合物が挙げられる。チキソトロピー性を有する高粘度性液体は、スプリンクラーヘッド２から散布されるときは剪断応力が加わって流動化し、水と同様に散布することができる。そして散布された後は粘度が上昇し、ゲル状になり流れ落ちることなくその場に留まる。このように下方に散布された消火剤が徐々にゲル状になって屋根表面を垂れるように散布されることで、屋根表面の塗りムラが出にくくなり、屋根表面及び内部に高粘度性液体が保持されるため高い延焼防止の効果を得ることができる。
【００２６】
本実施形態において、挿入杆５は管により形成され、係止用突起６の取付部で封止しているが、Ｔ字状継手４との間等で封止してもよい。
また、本実施形態に示す防災用散水具１は屈曲管３を用いているため、屈曲する角度は一定であるが、フレキシブルパイプ等を使用することにより、設置する植物屋根の角度に応じて自由に角度を調整できるようにしてもよい。
さらに、防災用散水具１において茅葺き屋根１１に挿入する挿入部の形状を長軸状の挿入杆５としているが、例えば柿葺き屋根の場合は屋根葺き材間に挿入する挿入部の形状を平面の板状にする等、挿入部の形状は本実施形態に限定されない。
また、本実施形態では脱落防止手段として係止用突起６，６及び係止用板７，７を用いたが、他の脱落防止手段として、ワイヤーで防災用散水具１を茅束に結束して脱落を防止することもでき、脱落防止手段は本実施形態に限定されない。一方、特別に脱落防止手段を設けずに、挿入杆５等の挿入部と茅束等の間の摩擦だけで脱落防止してもよい。
【００２７】
図３は本発明の実施形態における防災装置の設置状況を説明する概略図である。防災装置１２は茅葺き屋根１１に複数配置された防災用散水具１と、防災用散水具に消火剤を供給する樹脂チューブ８と、主配管１３及び混合機１４から構成されている。混合機１４から供給された消火剤は、主配管１３と樹脂チューブ８を通過した後に防災用散水具１によって茅葺き屋根１１に散布される。
【００２８】
防災用散水具１は図２に示すように、茅束内に挿入され、樹脂チューブ８も茅束内に埋め込むように設置されることで、防災用散水具１のスプリンクラーヘッド２以外の部分と樹脂チューブ８は茅束内に隠れるため、茅葺き屋根１１の建物１０の景観を損ねることはない。また、散布される消火剤が茅葺き屋根１１の全体を覆うように防災用散水具１を配置することで、より延焼防止の効果を高めることができる。
さらに、消火剤として高粘度性液体を使用することにより、前述のように少ない消火剤で高い延焼防止の効果を得ることができる。
【符号の説明】
【００２９】
１  防災用散水具、２  スプリンクラーヘッド、３  屈曲管、４  Ｔ字状継手、５  挿入杆、６  係止用突起、７  係止用板、８  樹脂チューブ、９  ワンタッチ継手、１０  建物、１１  茅葺き屋根、１２  防災装置、１３  主配管、１４  混合機
【図１】
2018015247.tif 000003
【図２】
2018015247.tif 000004
【図３】
2018015247.tif 000005